(57)【特許請求の範囲】
【請求項１】
外壁パネル本体の表面をシート状表面部材で被覆してなる外壁パネルを用いてなる外壁パネル構造であって、
前記外壁パネルが、前記シート状表面部材が巻き込まれている側の端部を突出させてフレームに配設され、
前記フレームの前記外壁パネ端部が突出している側の側面に押さえ金具を取付け、
前記外壁パネル本体の裏面端部を巻き込んでいる前記シート状表面部材の端部が、同端部と前記押さえ金具との間に埋め込まれた弾性部材により押圧されて、該外壁パネル本体に定着されてなる
ことを特徴とする外壁パネル構造。
【請求項２】
請求項１記載の外壁パネル構造を２組向い合わせてジョイント部が形成されてなることを特徴とする外壁パネル構造。
【発明の詳細な説明】
【０００１】
【発明の属する技術分野】
本発明は外壁パネルおよび外壁パネル構造に関する。さらに詳しくは、プレコートシートの端部の不具合が解消されてなる外壁パネルおよび外壁パネル構造に関する。
【０００２】
【従来の技術】
従来より、プレハブ住宅においては、図８に示すように、外壁パネル本体２の表面をプレコートシート（塗装を施したシート）４でカバーした外壁パネル（以下、化粧外壁パネルという）１´が用いられている。このプレコートシート４の外壁パネル本体２への装着は、工場製作および現場製作の如何にかかわらず、図９に示すように、プレコートシート４の端部４ａを接着剤６により外壁パネル本体２の側面２ａに貼り付けることによりなされている。なお、図９においては作図の便宜上、プレコートシート４と、外壁パネル本体２との隙間は誇張されている。このことは、以下の各図においても同様とされている。
【０００３】
このため、化粧外壁パネル１´に以下のような問題が生じている。
（１）接着剤６が所定の接着力を発揮して、プレコートシート４が外壁パネル本体２に接着されるまで養生する必要があり、いわゆるオープンタイムが必要となり、化粧外壁パネル１´の製作が長時間化する。現場製作の場合には、据付け工程の長期化をも招来する。
【０００４】
（２）接着剤６の塗布量のバラツキ、作業環境（温度、湿度など）、作業者の技倆などにより、図１０に示すように、プレコートシート端部４ａが外壁パネル本体２の小口や側面２ａから跳ね上がるという問題や、図１１に示すように、プレコートシート４の端部４ａに浮き上がりが生ずるという問題がある。その上、オープンジョイント工法を採用した場合においては、プレコートシート４の接着不具合の個所から、図１２に示すように雨水が外壁パネル本体２とプレコートシート４との間に侵入するという問題もある。
【０００５】
（３）オープンジョイント工法を採用した場合には、小口の収まりの関係から、使用形状が制約されるという問題もある。
【０００６】
【発明が解決しようとする課題】
本発明はかかる従来技術の課題に鑑みなされたものであって、プレコートシートの端部の外壁パネル本体への定着が確実になされる外壁パネルおよび外壁パネル構造を提供することを目的としている。
【０００９】
【課題を解決するための手段】
本発明の外壁パネル構造は、外壁パネル本体の表面をシート状表面部材で被覆してなる外壁パネルを用いてなる外壁パネル構造であって、前記外壁パネルが、前記シート状表面部材が巻き込まれている側の端部を突出させてフレームに配設され、前記フレームの前記外壁パネ端部が突出している側の側面に押さえ金具を取付け、前記外壁パネル本体の裏面端部を巻き込んでいる前記シート状表面部材の端部が、同端部と前記押さえ金具との間に埋め込まれた弾性部材により押圧されて、該外壁パネル本体に定着されてなることを特徴とする。
【００１１】
また、この本発明の外壁パネル構造を２組向い合わせてジョイント部が形成される。
【００１３】
【作用】
本発明の外壁パネルにおいては、シート状表面部材の端部がガスケットなどの柔軟な弾性部材の反発力により外壁パネル本体に定着されているので、雨水などがシート状表面部材と外壁パネル本体との間に侵入することはない。また、外壁パネル本体側面に設けられた溝内にシート状表面部材の端部を折り込んで、ついでその溝内にガスケットなどの柔軟な弾性部材を圧縮状態で埋め込んで、その反発力によりシート状表面部材の端部を外壁パネル本体に定着させる構成としているので、作業および製品の品質が均質化され、オープンタイムが不要となり製作時間が短縮される。
【００１４】
【発明の実施の形態】
以下、本発明を実施の形態に基づいて説明するが、本発明はかかる実施の形態のみに限定されるものではない。
【００１５】
実施の形態１
本発明の実施の形態１の化粧外壁パネルの要部構造を図１に示し、この化粧外壁パネル１は、外壁パネル本体２の側面２ａ全周に溝３を形成し、この溝３にプレコートシート（シート状表面部材）４の端部４ａを折り込むとともに、その折り込まれた端部４ａをこの溝３内にガスケット（柔軟な弾性部材）５を圧縮状態で埋め込み、そのガスケット５の反発力により押さえ込んでなるものである。この場合、必要に応じて溝３の底面３ａに接着剤６を塗布して、ガスケット５を溝３に定着（固着）させてよい。なお、図１においては作図の便宜上および理解の容易性を考慮して、プレコートシート４の端部４ａと外壁パネル本体２との間には隙間があるように描かれている。この隙間は以下の各図においても設けられている。
【００１６】
ここで、ガスケット５は、例えば図２示す形態のもの、すなわち断面が角形のガスケット５Ａ、断面が角形で中空芯を有するガスケット５Ｂ、断面が円形で中空芯を有するガスケット５Ｃなどが用いられる。なお、その具体的な適用に当たっては、化粧外壁パネル１の仕様、サイズなどを考慮して適宜選定される。
【００１７】
このように、本発明の実施の形態１によれば、外壁パネル本体２の側面２ａにプレコートシート４の端部４ａを折り込んで、それをガスケット５により押さ込むだけという簡単な構成によりプレコートシート４の外壁パネル本体２への定着（固定）がなされるので、化粧外壁パネル１の製作時間が短縮される。また、所定形状のガスケット５を溝３内に埋め込むだけでプレコートシート４の外壁パネル本体２への定着がなされるので、作業および製品品質の均質化が図られる。
【００１８】
図３に、かかる構成の化粧外壁パネル１、１を用いてオープンジョイント１０を形成したものを示す。この場合、プレコートシート４の端部４ａをガスケット５の反発力を利用して外壁パネル本体２に押し付けているので、プレコートシート４と外壁パネル本体２との間に雨水が侵入することはない。
【００１９】
実施の形態２
本発明の実施の形態２にかかわる化粧外壁パネル構造の要部を図４に示し、この化粧外壁パネル構造２０は、化粧外壁パネル１の端部１ａに適用されるものである。この化粧外壁パネル構造２０は、図４に示すように、図示しない適宜手段により保持されている化粧外壁パネル１を、その端部１ａを角形フレームＦより若干突出させた状態で適宜手段により角形フレームＦの外面（建屋の外に向いている面）Ｆａに配設し、そしてこの角形フレームＦの前記化粧外壁パネル１の端部１ａが突出している側の側面Ｆｂに、その端部１ａと所定の隙間を設けて取り付けられている押圧機構２１を構成する押さえ金具、例えばアングル２１１との間に、押圧機構２１の押圧部２１２を構成するガスケット５を圧縮状態で埋め込んで、外壁パネル本体２の表面２ｂから裏面２ｃに巻き込まれているプレコートシート４の端部４ａを押さえ込んで、プレコートシート４を外壁パネル本体２に定着させてなるものである。この場合、プレコートシート４の外壁パネル本体２の裏面２ｃに巻き込まれている部分は、組付け作業の便宜を考慮して接着剤などにより仮留めされているのが好ましい。
【００２０】
ここで、ガスケット５は、実施の形態１と同様に、図２示す形態のものが用いられる。また、その具体的な適用に当たっては、実施の形態１と同様に、化粧外壁パネル１の仕様、サイズなどを考慮して適宜選定される。
【００２１】
図５にかかる外壁パネル構造２０を用いてシーリングジョイント１２を形成したものを示す。かかる構成とすることにより、シーリング剤２２が収縮しても、プレコートシート４の端部４ａがガスケット５により押さえ込まれて、外壁パネル本体２に定着されているので、プレコートシート４の端部４ａが外壁パネル本体２から剥離することはない。なお、図５中、符号２４はシーリング剤２２の裏当て部材（バックアップ材）を示す。
【００２２】
実施の形態３
本発明の実施の形態３にかかわる化粧外壁パネル構造の要部を図６に示し、この化粧外壁パネル構造３０は、化粧外壁パネル１、１のジョイント部１４に適用されるものである。この化粧外壁パネル構造３０は、図６に示すように、角形フレームＦの外面Ｆａの中央部に所定の隙間を有する化粧外壁パネル１、１のジョイント部１４を設け、そのジョイント部１４にガスケット５を圧縮状態で埋め込んで、外壁パネル本体２の表面２ｂから側面２ａへ折り込まれているプレコートシート４の端部４ａを押さえ込んで、プレコートシート４を外壁パネル本体２に定着させてなるものである。この場合、プレコートシート４の外壁パネル本体２の側面２ａに折り込まれている部分は、組付け作業の便宜を考慮して接着剤（図示省略）などにより仮留めされているのが好ましい。また、ガスケット５と角形フレームＦの外面Ｆａとの間に接着剤６を塗布してガスケット５を角形フレームＦに定着させてもよい。ただし、ガスケット５に代えてジョイント部１４にシーリング剤２２を充填するのは、シーリング剤２２が収縮する際に、プレコートシート４の端部４ａが引っ張られて外壁パネル本体２の側面２ａから剥離するおそれがあるので好ましくない。
【００２３】
ここで、ガスケットは、例えば図７示すジョイント部１４に適した概略平板状の形態のもの、すなわち襞付き平型ガスケット５Ｄ、平型ガスケット５Ｅなどが用いられる。また、その具体的な適用に当たっては、化粧外壁パネル１の仕様、サイズなどを考慮して適宜選定される。
【００２４】
【発明の効果】
以上詳述したように、本発明の外壁パネルにおいては、シート状表面部材の端部が、ガスケットなどの柔軟な弾性部材の反発力により外壁パネル本体に定着されているので、雨水などがシート状表面部材と外壁パネル本体との間に進入することはないという優れた効果が得られる。また、外壁パネル本体側面に設けられた溝内にシート状表面部材の端部を折り込んで、ついでその溝内にガスケットなどの柔軟な弾性部材を圧縮状態で埋め込んで、その反発力によりシート状表面部材の端部を外壁パネル本体に定着させる構成としているので、作業および仕上げのバラツキがなくなり品質が均質化されるとともに、オープンタイムが不要となり、製作時間が短縮されるという優れた効果も得られる。さらに、シート状表面部材の端部がガスケットなどの柔軟な弾性部材の反発力により外壁パネル本体に定着されているので、使用するシート状表面部材に制約がなくなり、使用できる材質の範囲が拡大するという効果も得られる。
【００２５】
また、本発明の外壁パネル構造によれば、作業および組立品質の均質化が図られるとともに、据付け工期も短縮されるという優れた効果が得られる。
【図面の簡単な説明】
【図１】本発明の実施の形態１にかかわる化粧外壁パネルの要部断面図である。
【図２】同実施の形態１に用いられるガスケットの形態説明図である。
【図３】同外壁パネルを用いてオープンジョイントを構成した場合の説明図である。
【図４】本発明の実施の形態２にかかわる化粧外壁パネル構造の断面図である。
【図５】同外壁パネル構造を用いてシーリングジョイントを構成した場合の説明図である。
【図６】本発明の実施の形態３にかかわる化粧外壁パネル構造の断面図である。
【図７】同実施の形態３に用いられるガスケットの形態説明図である。
【図８】従来の化粧外壁パネルの概略図である。
【図９】同化粧外壁パネルの端部断面図である。
【図１０】同化粧外壁パネルの問題を説明する図であって、接着不良により端部が剥離している状態を示す。
【図１１】同化粧外壁パネルの問題を説明する図であって、接着不良により端部に浮きが生じている状態を示す。
【図１２】同化粧外壁パネルの問題を説明する図であって、接着不良箇所より雨水が侵入している状態を示す。
【符号の説明】
１      化粧外壁パネル
１ａ    化粧外壁パネル端部
２      外壁パネル本体
２ａ    外壁パネル本体側面
３      溝
３ａ    底面
４      プレコートシート（シート状表面部材）
５      ガスケット（柔軟な弾性部材）
６      接着剤
１０      オープンジョイント
１２      シーリングジョイント
１４      ジョイント部
２０      化粧外壁パネル構造
２１      押圧機構
２１１    押さえ金具、アングル
２１２    押圧部
２２      シーリング剤
３０      化粧外壁パネル構造
【図１】
0003613600.tif 000002
【図２】
0003613600.tif 000003
【図３】
0003613600.tif 000004
【図４】
0003613600.tif 000005
【図５】
0003613600.tif 000006
【図６】
0003613600.tif 000007
【図７】
0003613600.tif 000008
【図８】
0003613600.tif 000009
【図９】
0003613600.tif 000010
【図１０】
0003613600.tif 000011
【図１１】
0003613600.tif 000012
【図１２】
0003613600.tif 000013